(57)【特許請求の範囲】
【請求項１】
１装填分の製品を包むためのバリアー材からなる長尺の包装体と、
前記バリアー材の包装体に形成された取り出し口と、
前記取り出し口上を延びるように構成され、掴むことのできるタブを含む可動式のカバーとを含み、タブが前記取り出し口の横に配置されているたばこ産業製品用パッケージ。
【請求項２】
さらに容器を含み、前記バリアー材の包装体がこの容器内に配置されていることを特徴とする請求項１記載のパッケージ。
【請求項３】
前記容器が胴体と蓋とを含み、蓋が胴体にヒンジ式に取り付けられていることを特徴とする請求項２記載のパッケージ。
【請求項４】
包装体および／または容器が前面を有し、この前面は、前面と少なくとも１つの側面との間に接続面を形成する少なくとも１つの長手方向側縁部を有し、接続面が面取りされた、または丸みが付けられた側縁部を形成することを特徴とする請求項１乃至３いずれか１項記載のパッケージ。
【請求項５】
前記取り出し口から遠位に位置するタブの横方向端部が実質的に包装体の側縁部と同じ位置にあることを特徴とする請求項１乃至４いずれか１項記載のパッケージ。
【請求項６】
前記取り出し口から遠位に位置するタブの横方向端部が実質的に包装体の前面の長手方向に延びた縁部と同じ位置にあることを特徴とする請求項１乃至５いずれか１項記載のパッケージ。
【請求項７】
前記取り出し口から遠位に位置するタブの横方向端部が実質的に包装体の前面と前記接続面との間の境界を定める第１側縁部と同じ位置にあり、かつ、前面と前記面取りされたまたは丸みを付けられた長手方向側縁部を形成する面取りされたまたは丸みが付けられた面との間の第１側縁部と同じ位置にあることを特徴とする請求項４記載のパッケージ。
【請求項８】
前記取り出し口が包装体の上面と前面に位置し、前記タブが包装体の前面と重なることを特徴とする請求項１乃至７いずれか１項記載のパッケージ。
【請求項９】
前記カバーが横方向に延びた線を中心に可動であることを特徴とする請求項１乃至８いずれか１項記載のパッケージ。
【請求項１０】
前記タブが前記可動カバーと一体に形成されていることを特徴とする請求項１乃至９いずれか１項記載のパッケージ。
【請求項１１】
前記カバーがバリアー材の包装体の取り付けられた、またはこれと一体に形成されたフラップであることを特徴とする請求項１乃至１０いずれか１項記載のパッケージ。
【請求項１２】
前記カバーが外層と内層とを含み、
前記タブが外層と一体に形成され、バリアー材の包装体の背面が内層と一体に形成されていることを特徴とする請求項１乃至１１いずれか１項記載のパッケージ。
【請求項１３】
前記取り出し口が前記包装体に横方向に非対称に位置することを特徴とする請求項１乃至１２いずれか１項記載のパッケージ。
【請求項１４】
請求項１乃至１３いずれか１項記載のバリアー材からなる包装体を形成するためのブランク。
【発明の詳細な説明】
【技術分野】
【０００１】
本発明は、タバコ産業製品用パッケージに関し、特に紙巻きタバコ、シガー、シガリロおよびバラの状態のタバコなどの喫煙品のパッケージに関するものであるが、これらに限定されない。便宜上、これらの喫煙品を本明細書中では「紙巻きタバコ」と称する。
【背景技術】
【０００２】
下記特許文献１は、胴体およびヒンジ式蓋を有する紙巻きタバコパックを開示している。１つのバリアー層が胴体の内側で密閉された包装体を形成し、胴体は包装体に触れることができるように開口部を有する。紙巻きタバコパックの内方ラッパーとしてバリアー層を設けることは知られている。バリアー層を設けることによって、紙巻きタバコにとって好ましくない気候条件の地域、特に高温多湿の地域での商業的な保存可能期間を大幅に伸ばすことができるようになった。取り出し口を覆うカバーにはタブが設けられており、これをユーザーが掴んで上方に引っ張ることによって取り出し口を露出させることができる。このタブは取り出し口の下方に位置している。このタブは、比較的短い蓋を有するパック内に簡単に収容できない場合がある。さらにタブが掴みにくい場合もある。
【発明の概要】
【発明が解決しようとする課題】
【０００３】
本発明は、請求項１に記載されているようなタバコ産業製品用パッケージを提供する。
【課題を解決するための手段】
【０００４】
従ってタブは、ユーザーがより掴みやすくなっている。さらにタブを蓋が比較的短い容器に使用することができる。
【０００５】
本発明の実施態様を添付図面を参照し、あくまで例示を目的として以下に説明する。
【図面の簡単な説明】
【０００６】
【図１】容器の蓋が開いて、カバーが閉じている本発明の好ましい実施態様のパッケージの斜視図である。
【図２】容器の蓋が開いて、カバーがある程度開いている位置にある図１のパッケージの斜視図である。
【図３】容器の蓋が開いて、カバーも開いている図１のパッケージの斜視図である。
【図４】容器の蓋が閉じている図１のパッケージの斜視図である。
【発明を実施するための形態】
【０００７】
図１は、本発明の好ましい実施態様によるタバコ産業製品用パッケージ１を示す。パッケージ１は、タバコ製品、好ましくは紙巻きタバコを収容するための密閉された装填物（ｃｈａｒｇｅ）または包装体２を含む。密閉された装填物２は、胴体３およびヒンジ式蓋４を有する容器内に配置されている。
【０００８】
容器と装填物２は、実質的に前面２０、背面２２、上面２４、底面２６および側面２８を有する長尺の直方体形状である。長手方向は、上面および底面２４、２６を通って、かつ、前面および背面２０、２２および側面２８に対して平行に延びることによって定められる。横方向は、側面２８を通って、前面および背面２０、２２並びに上面および底面２４、２６に対して平行に延びることによって定められる。
【０００９】
容器の胴体３および蓋４は、前面２０と側面２８の間を長手方向に延びる縁部３０を有する。縁部３０は、前面と側面を接続する接続面を形成する。縁部３０は、好ましくは面取りまたは丸みが付けられている。図１は、前面２０に隣接する第１縁部３０ａと側面２８に隣接する第２縁部３０ｂとの間に平坦な面取りされた接続面３１を含む面取りされた縁部３０を示している。平坦な傾斜面３１は、胴体３および蓋４の全長に沿って長手方向に延びている。平坦な傾斜面３１は、前面２０および側面２８に隣接して角度をなして延びている。
【００１０】
装填物２は、容器に整合した面取りされた、または丸みを帯びた縁部を有する。図１は、容器の平坦な傾斜面３１に一致する平坦な傾斜面３２を有する面取りされた縁部を有する装填物２を示している。面取りされた縁部は、容器の第１および第２縁部３０ａ、３０ｂと一致する第１および第２縁部によって形成されている。好ましくは容器と包装体両方の長手側縁部は、同じように面取りされる。
【００１１】
密封された装填物２は、場合によっては内部フレーム(図示せず)内に位置する一装填分の紙巻きタバコを含む。さらに装填物２は、バリアー材１５の層を含み、紙巻きタバコおよび場合によっては内部フレームの周囲で密封された包装体を供する。バリアー材１５によって形成された包装体は、取り出し口を有し、ここを介して紙巻きタバコを取り出すことができる。
【００１２】
図２および３は、ある程度そして完全に開いた状態のパッケージをそれぞれ示している。装填物２は、取り出し口を覆うための再封止可能なカバー７を含む。カバー７は、装填物２のバリアー材の背面２２に取り付けられたフラップ形状のものである。カバー７は、取り出し口全体を覆う。カバー７は、外方容器の蓋４を開けると露出する。
【００１３】
カバー７にはタブ１０が設けられている。タブ１０は、カバー７を開き、取り出し口１２を露出させて紙巻きタバコを取り出せるようにユーザーが掴めるような大きさになっている。
【００１４】
タブ１０は取り出し口１２の横に位置している。特に掴むことができるタブ１０は、取り出し口１２と側面２８の間に位置している。好ましくはタブ１０の底縁部は、取り出し口の下方に好ましくは延びているカバー７の底縁部と同じ位置にある。
【００１５】
取り出し口に対して横方向において遠位に位置するタブ１０の側縁部１０ａは、面取りされたまたは丸みを帯びた縁部３０と好ましくは実質的に位置合わせされる。特にタブ１０の側縁部１０ａは、包装体の平坦な前面２０が面取りされた縁部、即ち角度が付けられた包装体の縁部３２と合う縁部と同じ位置で装填物２と重なる。従ってタブ１０の側縁部１０ａは、包装体の前面２０の縁部３０ａと位置合わせされる。取り出し口から遠位にあるタブの横端部は包装体の前面の長手方向に延びた縁部と実質的に同じ位置にある。
【００１６】
タブ１０の側縁部１０ａは、好ましくは丸みを帯びている。タブ１０の側縁部１０ａの位置合わせと言った場合、横方向におけるタブ１０の遠位にあるポイントまたは頂点の位置合わせを意味する。
【００１７】
図２は、開いている途中のパッケージ１を示す。蓋３は、後方に引っ張られ、完全に開いている。タブ１０は、上方および前方に持ち上げられてカバー７を上がった状態になっている。この動作は、パッケージ１の側縁部面２８に隣接するタブ１０をユーザーが掴むことによって簡単に行われる。
【００１８】
タブ１０は、ユーザーが容易に掴めるような大きさになっている。タブ１０は、包装体に貼り付けられていない領域を有し、よって簡単に持ち上げることができる。タブ１０は、前面２０に向かって見た際にカバーの右側に位置するのが好ましい。カバー７は、取り出し口１２を越えてタブ１０を有する側とは反対の横方向の側に延びている。反対側のカバーの延長部は、タブを形成しない、というのはカバーは、反対側で掴めるような大きさではなく、反対側は、その縁部９に隣接する包装体に取り外し自在に貼り付けられているからである。
【００１９】
図３は、蓋３とカバー７の両方が持ち上げられた開いた状態のパッケージ１を示している。取り出し口１２は、縁部１４によって形成された前面２０と縁部１６によって形成された上面２４に延びている。可動式カバー７は、取り出し口１２の前方縁部１４を越えて延びた前方縁部８を有する。カバー７は、取り出し口１２の側縁部１６を越えて延びた側縁部９を有する。
【００２０】
カバー７および／または前面２０と上面２４にはカバー７を装填物２に取り外し自在に接続する再密閉可能な手段が設けられている。好ましくは再密閉可能な手段は、カバーおよび／または装填物２の前面２０と上面２４に塗布される永久粘着剤である。永久粘着剤は、取り出し口１２に隣接して位置し、好ましくは取り出し口のすべての側の周囲を延びている。タブ１０は、少なくとも一部には接着剤が塗布されず、前面２０と重なる。
【００２１】
カバー７は、長手方向に取り出し口１２を越えて、縁部８によって定められる前面に延びている。カバーのこの長手方向に前面まで延びた部分は、タブを形成していない、というのはカバーは、この領域で掴むような大きさを有してなく、カバーのこの領域は、その縁部８に隣接する包装体に取り外し自在に接着されるからである。
【００２２】
バリアー材１５に包まれている複数の喫煙品１００が示されている。喫煙品１００は、好ましくは紙巻きタバコであり、またシガー、紙巻きタバコまたはバラのタバコであってもよく、またはあらゆる他の好適なタバコ産業製品であってもよい。
【００２３】
カバー７は、内方層３６と外方層３４とを含んでもよい。外方層３４は、装填物２の背面２２を形成するバリアー材に永久的に貼付されたバリアー材の層であることが好ましい。タブ１０は、外方層３４と一体に形成されるのが好ましい。外方層３４は、縁部８、９によって規定されるカバー７の最大延長部を形成する。再密封手段を形成する接着剤は、内方層３６を越えて延びる外方層３４の一部に位置させてもよい。
【００２４】
内方層３６は、装填物２を形成するバリアー材１５と一体に形成するのが好ましい。好ましくは内方層３６は、外方層３４に永久的に接着される。内方層３６は、取り出し口１２と同じ寸法である。内方層３６と取り出し口１２は、共に縁部１４、１６に沿った切り取り部を形成することによって形成してもよい。縁部１４、１６は、最初は穿孔してもよく、カバー７を最初に開いたときに永久的に分かれるようにしてもよい。これとは別に、可動式のカバー７を装填物２のバリアー材１５に貼り付けられた、またはこれと一体に形成された単一の層として形成してもよい。
【００２５】
取り出し口１２は、包装体において横方向に非対称に位置するのが好ましい。取り出し口１２は中央に位置せず、タブ１０に対して反対側の側面２８よりタブ１０に隣接した側面２８から離れて位置する。この非対称な位置によって取り出し口１２と側面２８の間でタブ１０のために広い横方向の空間が設けられる。
【００２６】
喫煙品１００は、上面２４の取り出し口１２を介して包装体から長手方向に取り出すことができる。さらに喫煙品は、容器から長手方向に取り出すことができる。タブ１０は、喫煙品１００の取り出し方向に対して取り出し口１２の横に位置する。
【００２７】
カバー７は、横方向に延びる線である軸を中心に回転することによって実質的に長手方向に開く。カバー７は、包装体２の背面２２に貼り付けられた、またはこれと一体に形成されたフラップの形状である。特にカバー７は、包装体の背面２２の横方向に延びた線を中心に可動である。タブ１０は、カバー７の回転軸に対して平行な方向に取り出し口１２の横に位置する。
【００２８】
容器の蓋４は、実質的に長手方向に可動であり、横方向に延びる線であるさらなる回転軸を中心にした回転によって容器をひらく。特に蓋４は、容器胴体３の背面の横方向に延びた線を中心に可動である。タブ１０は、蓋４の回転軸に対して平行な方向において取り出し口１２の横に位置する。
【００２９】
図４は、胴体３と当接するように蓋４が下方に枢動した容器が閉じた状態を示している。面取りされたまたは丸みを帯びた縁部３０は、胴体３と蓋４のそれぞれの前方長手方向縁部で連続的に延びている。面取りされた縁部は、前面２０に隣接した第１縁部３０ａと側面２８に隣接した第２縁部３０ｂとを含む。平坦な傾斜面３１は、胴体３および蓋４のそれぞれの長手方向側の全長に沿って長手方向に延びている。
【００３０】
容器の蓋は、カバー７とタブ１０を覆って延びていなければならない。取り出し口に対して横にタブ１０が位置することによって、容器の蓋の長手方向の長さを短くすることができる。さらに包装体の側面にタブ１０が近接していることによって、隣接する側面との接触によって案内された後または案内されている間にユーザーはタブ１０を掴むことができる。
【００３１】
タブを包装体の前面の側縁部、特に前面と面取りされた縁部の平坦な表面との間の側縁部３０ａと実質的に同じ位置にある取り出し口から遠位にある横方向端部を有すると説明してきた。これとは別にタブ１０は、縁部３０ａを越えて延び、接続、即ち傾斜表面３２と重なってもよい。これとは別にタブ１０は、パッケージの側面２８まで又はこれを越えて延びてもよく、または前面２０上に位置してもよい。
【００３２】
容器および包装体を面取りされた側縁部を有するものと説明してきた。これとは別に側縁部に丸みを付けてもよい。長尺の丸みを帯びた面が長手方向に延び、前面を側面に接続する。側縁部は、実質的に上述したように第１および第２縁部によって形成され、この実施態様では前面と湾曲面の境界および湾曲面と側面の境界をそれぞれ形成する。包装体は、対応する丸みを帯びた側縁部を有する。タブの遠位縁部は、同じように包装体の前面の縁部と位置合わせされ、特に包装体の前面と丸みを帯びた縁部の湾曲面との境界と位置合わせされる。これとは別にタブは、その縁部を横方向に越えて延びてもよく、包装体の丸みを帯びた表面と重なるようにしてもよい。これとは別にタブは、横方向に包装体の側面まで、またはこれを越えて延びてもよく、または前面と重なるようにしてもよい。
【００３３】
これとは別に容器と包装体は、実質的に方形の側縁部を有してもよい。タブ１０の遠位端１０ａは、方形の縁部と位置合わせさせてもよい。これとは別に包装体および／または容器の側縁部は、前面と側面があらゆる曲率または形状の接続面によって離れているあらゆる種類の長手側縁部を有してもよい。タブ１０の遠位端１０ａは、前面と接続面との境界と位置合わせしてもよい。
【００３４】
パッケージは包装体および／または容器の側縁部に丸みが付けられている、面取りされているまたは接続面を有する別の形状を有するものとして説明してきた。これとは別に包装体および／または容器は、丸みが付けられている、面取りされているまたは接続面を有する別の形状を有する側縁部を１つだけ含むものであってもよい。丸みが付けられた、面取りされたまたは他の形状の接続面は、タブ１０が隣接する側にあるのが好ましい。もう一方の側縁部は、異なる形状であってもよく、特に前面と側面とを直接接合する単純な方形の縁部を有してもよい。
【００３５】
好ましくはパッケージは、ヒンジ式蓋を有する比較的硬質な外方容器を含み、この中にカバーと側部タブを有するバリアー材からなる包装体が位置する。これとは別にパッケージは、外方容器のない包装体とタブを有する可動式カバーを含んでもよい。これとは別にカバーと横タブを有する包装体は、異なる種類の外方容器内に位置してもよい。
【００３６】
すべての実施態様で説明したすべての特徴は、あらゆる他の実施態様の他の特徴と関連づけてもよい。
【先行技術文献】
【特許文献】
【００３７】
【特許文献１】国際出願公開第９８／２２３６７号
【図１】
0005617045.tif 000002
【図２】
0005617045.tif 000003
【図３】
0005617045.tif 000004
【図４】
0005617045.tif 000005